(57)【要約】【課題】建築物の基礎部材の上部と、外壁の下部との間の空間を覆う水切り部材が有する立設片に対して取付けが極めて容易で、室内側への水の進入を防止する建築用シール材及びそれを用いた建築物の防水構造を提供する。【解決手段】建築物の基礎部材１０１の上部と、基礎部材１０１より室外側に突出した位置に設けられる外壁１０２の下部との間の空間Ｍを室外側から覆うように配置されるとともに、立設片５ｃが形成された一端側が、基礎部材１０１の室外側に対向し、かつ他端側が外壁１０２の室外側に対向する、底面５ａと立設面５ｂを有する断面略Ｌ字状で長尺状の水切り部材５に取付けられる建築用シール材１０であって、水切り部材５の立設片５ｃに取付けられる断面略逆Ｕ字状の取付基部１１と、取付基部１１の室内側に一体成形され、基礎部材１０１に弾接するシール部１２と、取付基部１１の上方室外側に向けて傾斜して一体成形される起立部１３を備える。【選択図】図３
2011069092.tif 000002
【特許請求の範囲】
【請求項１】
建築物の基礎部材の上部と、基礎部材より室外側に突出した位置に設けられる外壁の下部との間の空間を室外側から覆うように配置されるとともに、立設片が形成された一端側が、前記基礎部材の室外側に対向し、かつ他端側が前記外壁の室外側に対向する、底面と立設面を有する断面略Ｌ字状で、前記底面に複数の穴が形成されてなる長尺状の水切り部材に取付けられる建築用シール材であって、
前記水切り部材の立設片に取付けられる断面略逆Ｕ字状で長尺状の取付基部と、
前記取付基部の室内側に一体成形され、前記基礎部材に弾接するシール部と、
前記取付基部に一体成形され、上方に延びる起立部と、を備え、前記起立部は、室外側に向けて傾斜していることを特徴とする建築用シール材。
【請求項２】
前記請求項１に記載の建築用シール材を用いた建築物の防水構造。
【発明の詳細な説明】
【技術分野】
【０００１】
本発明は、建築用シール材及び及びそれを用いた建築物の防水構造に関する。より詳しくは、建築物の基礎部材上部と外壁下部との間の空間をシールする建築用シール材に関する。
【背景技術】
【０００２】
従来、図５に示すように、建築物のコンクリート製の基礎部材１０１と、その基礎部材１０１より室外側に突出した位置に設けられる外壁１０２の下部との間には、空間Ｍが設けられている。外壁１０２の室内側で基礎部材１０１の上部には横柱１０３が設けられ、その上には縦柱１０４が設けられている。
そして、その空間Ｍを室外側から覆うように通常、アルミ製の水切り部材５が設けられている。水切り部材５は、底面５ａと縦面５ｂを有する断面略Ｌ字状で、基礎部材１０１の延びる水平方向（図５の紙面に垂直な方向）に延びている。水切り部材５の一端側には室内側にスポンジＳが設けられた立設片５ｃが形成され、基礎部材１０１の室外側に対向している。
また、水切り部材５の他端側には室内側に延びる受け片５ｄが形成され、外壁１０２の室外側に対向している。
なお、図示は省略したが、水切り部材５の底面５ａには複数の穴（パンチング穴）が形成され、底面５ａ上に沿って流れる水を穴を介して室外に排出している。また、複数の穴は通気性を保つはたらきもしている。
【０００３】
そして、水切り部材５を取付けた状態では、立設片５ｃに設けられたスポンジＳが、基礎部材１０１の室外側上部に弾接するとともに、受け片５ｄで外壁１０２の室外側下部を支持している。
【０００４】
しかし、スポンジＳは水切り部材５の立設片５ｃに対して両面粘着テープなどによって固定されるため、固定に作業時間を要するとともに、離型紙がゴミとなるという問題がある。また、スポンジＳを使用した場合には、雨水をスポンジＳが吸収することによってスポンジＳにカビや藻などが発生するといった心配もある。さらには、水切り部材５の底面５ａに設けられた複数の穴Ｈから強風時などに雨水が室内側に進入するおそれもある。
【０００５】
なお、雨水が室内側に進入することを防止する水返し片や水返し用ヒレ片を設けたシール構造が開示されている（例えば、特許文献１，２参照）。
【先行技術文献】
【特許文献】
【０００６】
【特許文献１】特開２００１−１２３６５１号公報（図１）
【特許文献２】特開２００７−９２４１４号公報（図５）
【０００７】
しかし、特許文献１に記載の発明は、外壁間の空間に設けられ、また特許文献２に記載の発明は、外壁と軒天井材の空間に設けられるものであるので、建築物の基礎部材の上部と、外壁の下部との間の空間に取付けられるものではない。
また、特許文献１，２に記載の水返し片や水返し用ヒレ片は、建築物の基礎部材の上部と、外壁の下部との間の空間を室外側から覆うようにして取付けられる水切り部材の立設片に取付けられるものではない。
【発明の開示】
【発明が解決しようとする課題】
【０００８】
そこで、本発明は上記従来の課題を解決するためのものであり、建築物の基礎部材の上部と、外壁の下部との間の空間を覆う水切り部材が有する立設片に対して取付けが極めて容易で、室内側への水の進入を防止する建築用シール材及びそれを用いた建築物の防水構造を提供することを目的にするものである。
【課題を解決するための手段】
【０００９】
上記従来の課題を解決するために、請求項１に係る発明の建築用シール材は、建築物の基礎部材（１０１）の上部と、基礎部材（１０１）より室外側に突出した位置に設けられる外壁（１０２）の下部との間の空間（Ｍ）を室外側から覆うように配置されるとともに、立設片（５ｃ）が形成された一端側が、前記基礎部材（１０１）の室外側に対向し、かつ他端側が前記外壁（１０２）の室外側に対向する、底面（５ａ）と立設面（５ｂ）を有する断面略Ｌ字状で、前記底面（５ａ）に複数の穴（Ｈ）が形成されてなる長尺状の水切り部材（５）に取付けられる建築用シール材（１０）であって、
前記水切り部材（５）の立設片（５ｃ）に取付けられる断面略逆Ｕ字状で長尺状の取付基部（１１）と、
前記取付基部（１１）の室内側に一体成形され、前記基礎部材（１０１）に弾接するシール部（１２）と、
前記取付基部（１１）に一体成形され、上方に延びる起立部（１３）と、を備え、前記起立部（１３）は、室外側に向けて傾斜していることを特徴とする。
【００１０】
また、請求項２に係る発明は、前記請求項１に記載の建築用シール材（１０）を用いた建築物の防水構造である。
【００１１】
なお、括弧内の記号は、発明を実施するための最良の形態および図面に記載された対応要素または対応事項を示す。
【発明の効果】
【００１２】
本発明の建築用シール材及びそれを用いた建築物の防水構造によれば、建築用シール材の断面略逆Ｕ字状の取付基部が、水切り部材に形成された立設片に取付けられるので、その取付けを極めて容易に行うことができる。
これによれば、特に両面テープなどの固定具を必要とすることがないので、取付作業を短時間で行うことができ、しかも離型紙が発生しないのでゴミとならない。
また、このとき、取付基部に一体成形されたシール部が、基礎部材に弾接するので、従来例で示したようなスポンジでなくても室内外を確実にシールすることができる。
これにより、建築用シール材にはスポンジを使用する必要がないので、長期間の使用により吸水し、カビや藻の発生を防止することができる。
また、水切り部材の底面には複数の穴が形成されているので、通気性に優れる。そして、強風などによって、その形成された穴を介して室外から室内に飛び込んでくる雨水は、建築用シール材の断面略逆Ｕ字状の取付基部に一体成形され上方に延びる起立部によって受け止められるとともにはね返されるので、さらに室内側に水が進入することが防止される。
また、起立部を室外側に向けて傾斜させることによって、形成された穴を介して室外から室内に飛び込んでくる雨水を有効にはね返すことができる。
【００１３】
以上、本発明の建築用シール材及びそれを用いた建築物の防水構造によれば、既存の水切り部材に対して容易に取付けることができる。
【図面の簡単な説明】
【００１４】
【図１】本発明の実施形態に係る建築用シール材を示す断面図である。
【図２】図１に示す建築用シール材が水切り部材に取付けられた状態を示す斜視図である。
【図３】図１に示す建築用シール材の使用状態を示す断面図である。
【図４】本発明の実施形態に係る別の建築用シール材を示す断面図であり、（ａ）は、水切り部材に取付ける前の状態を示し、（ｂ）は、水切り部材に取付けた後の状態を示す。
【図５】従来例を示す断面図である。
【発明を実施するための最良の形態】
【００１５】
図１乃至図３を参照して、本発明の実施形態に係る建築用シール材及びそれを用いた建築物の防水構造について説明する。
図１は本発明の実施形態に係る建築用シール材を示す断面図であり、図２は図１に示す建築用シール材が水切り部材に取付けられた状態を示す斜視図であり、図３は図１に示す建築用シール材の使用状態を示す断面図である。
【００１６】
本発明の実施形態に係る建築用シール材は、図３に示すように、建築物の基礎部材１０１の上部と、基礎部材１０１より室外側に突出した位置に設けられる外壁１０２の下部との間の空間Ｍを、室外側から覆うように配置される水切り部材５に形成された立設片５ｃに取付けられている。
なお、ここでは、外壁１０２の室内側で基礎部材１０１の上部には横柱１０３が設けられ、その上には縦柱１０４が設けられている。
【００１７】
水切り部材５は、底面５ａと立設面５ｂを有する断面略Ｌ字状で、基礎部材１０１の延びる水平方向（図３の紙面に垂直な方向）に延びる長尺状で、底面５ａには複数の穴Ｈ（パンチング穴）が形成されている。水切り部材５の底面５ａに形成された複数の穴Ｈ（パンチング穴）は、底面５ａ上に沿って流れる水を穴Ｈを介して室外に排出するとともに、通気性を保つはたらきもしている。
水切り部材５の一端側、すなわち、底面５ａの端部には底面５ａの延びる方向に直交する立設片５ｃが形成され、基礎部材１０１の室外側に対向している。なお、立設片５ｃの先端には室外側に突出した係止突部５ｅが形成されている。
また、水切り部材５の他端側には室内側に延びる受け片５ｄが形成され、外壁１０２の室外側に対向している。
【００１８】
建築用シール材１０は、室内外に対して直交する長手方向に延びる長尺状のものであり、取付基部１１とシール部１２と起立部１３を主に備えている。
【００１９】
取付基部１１は、断面略逆Ｕ字状でその開口部に、水切り部材５の立設片５ｃが挿入されるようにして立設片５に取付けられる。取付基部１１の内方で室外側には凹部１５が形成され、水切り部材５の係止突部５ｅに嵌合するようになっている。凹部１５は、水切り部材５に建築用シール材１０が取付けられたときに、水切り部材５の係止突部５ｅに嵌合するものであれば、どのような形状でもよいが、ここでは、取付基部１１の室外側側壁における開口部側を奥壁側よりも室内側にすることによって奥壁側に凹部１５を形成している。なお、取付基部１１の室外側側壁の端部には、取付時に水切り部材５の底面５ａに弾接するリップ部１４が形成されている。
【００２０】
シール部１２は、断面略舌状であり取付基部１１の室内側側壁の上下に２本一体成形されている。シール部１２も、長尺状に連続したものであり、水切り部材５に建築用シール材１０を取付けたときに、基礎部材１０１の室外側に弾接して、水が室内に進入しないようにしている。
なお、ここでは、シール部１２を上下に２本設けたが、特にその数に限定されるものではなく、１本とすることもできる。また、断面略舌状としたが、中空状のシール部とすることも可能である。
【００２１】
起立部１３は、取付基部１１の室外側側壁と奥壁を連結する部位に一体成形され、上方に、より具体的には室外側に向けて斜め上方に延び、先端部１３ａは斜め下方に向けて折れ曲がっている。先端部１３ａは先細になっている。起立部１３は、水切り部材５の底面５ａに形成された複数の孔Ｈを介して室外側から室内側に（下から上に）飛込んでくる雨水を防止する水返し効果を発揮するものであり、ここでは、起立部１３の高さを、水切り部材５の底面５ａから起立部１３の付け根部までの高さと略同一にしている。また、起立部１３の先端部１３ａの端部から水切り部材５の立設面５ｂまでの距離Ｄ（ここでは約１５ｍｍとした）を、起立部１３の頂部から外壁１０２の下部までの距離Ｄと同一にして、水返し効果とともに通気性を保持している。
【００２２】
なお、材質については特に限定されるものではないが、ここでは、建築用シール材１０の取付基部１１と起立部１３については、硬質ゴム又は硬質樹脂とし、シール部１２とリップ部１４については、ゴム様弾性体（ゴム又は樹脂）とした。
【００２３】
本実施形態に係る建築用シール材１０の取付けについては、まず、図２に示すように、水切り部材５に形成された立設片５ｃに対して、建築用シール材１０の取付基部１１の開口部を下側にして真っ直に降ろしていく。そして、立設片５ｃの係止突部５ｅに、取付基部１１に形成した凹部１５が嵌合するまで差し込むようにして取付ける。このとき、取付基部１１に形成されたリップ部１４は、水切り部材５の底面５ａに弾接する。
このように、水切り部材５に対する建築用シール材１０の取付けは、立設片５ｃに建築用シール材１０の取付基部１１を差し込んでいくだけでよいので、両面テープなどの固定具を必要としない。
【００２４】
次に、建築用シール材１０が取付けられた水切り部材５を、建築物の基礎部材１０１と外壁１０２との間の空間Ｍに対して、斜め下方から上方に室外側から接近させ、図３に示すように、建築用シール材１０の取付基部１１に一体成形したシール部１２を、基礎部材１０１の室外側上部に弾接させるとともに、水切り部材５の立設面５ｂに形成した受け片５ｄを外壁１０２の下に当接させ、外壁１０２の室外側下部コーナー部を受けるようにした状態で固定する。外壁１０２に対する水切り部材５の固定は、図示を省略するが、ねじ止めによって行う。
【００２５】
また、図４に示すように、建築用シール材１０の取付基部１１の内方に複数（ここでは４本）の保持リップ部１６を設け、水切り部材５に形成された立設片５ｃに建築用シール材１０が取付けられた後に、保持リップ部１６で立設片５ｃを強固に保持して容易に外れないようにすることもできる。
この場合には、図１及び図２で示したように、建築用シール材１０の取付基部１１に凹部１５を設ける必要はないのに加え、水切り部材５の立設壁５ｃに係止突部５ｅを設ける必要もない。
なお、保持リップ部１６を、図１及び図２で示した建築用シール材１０の取付基部１１に併用することも可能である。
【符号の説明】
【００２６】
５      水切り部材
５ａ    底面
５ｂ    縦面
５ｃ    立設片
５ｄ    受け片
５ｅ    係止突部
１０      建築用シール材
１１      取付基部
１２      シール部
１３      起立部
１５      凹部
１６      保持リップ部
１０１      基礎部材
１０２      外壁
Ｈ      穴
Ｍ      空間
Ｓ      スポンジ
【図１】
2011069092.tif 000003
【図２】
2011069092.tif 000004
【図３】
2011069092.tif 000005
【図４】
2011069092.tif 000006
【図５】
2011069092.tif 000007